(57)【要約】【課題】供給する負電圧にノイズやリップルが極力重畳しないようにして、出力映像信号の品質を向上させ、且つ消費電力を低減する。【解決手段】映像処理回路１０に要求される負電圧電源用のコンデンサＣ２を備え、該コンデンサＣ２にチャージポンプ回路２０により負電圧が生成されるようにした映像回路において、コンデンサＣ２に生成された前記負電圧のレベルが下限値−Ｖ２に達するとチャージポンプ回路２０による負電圧生成動作を停止し、前記負電圧のレベルが上限値−Ｖ１に達するとチャージポンプ回路による負電圧生成動作を再開させる。【選択図】  図１
2008283513.tif 000002
【特許請求の範囲】
【請求項１】
映像処理回路に要求される負電圧電源用のコンデンサを備え、該コンデンサにチャージポンプ回路により負電圧が生成されるようにした映像回路において、
前記コンデンサに生成された前記負電圧のレベルが下限値に達すると前記チャージポンプ回路による負電圧生成動作を停止させ、前記負電圧のレベルが前記下限値よりも高い上限値に達すると前記チャージポンプ回路による負電圧生成動作を再開させるようにしたことを特徴とする映像回路。
【請求項２】
請求項１に記載の映像回路において、
前記コンデンサの電圧を検出する電圧検出回路と、該電圧検出回路で検出された電圧が前記下限値に達すると前記チャージポンプ回路による前記負電圧生成動作を停止させ、前記上限値に達すると前記チャージポンプ回路による前記負電圧生成動作を再開させる制御回路とを備えることを特徴とする映像回路。
【請求項３】
請求項１に記載の映像回路において、
前記コンデンサの電圧を検出する電圧検出回路と、該電圧検出回路で検出された電圧が前記下限値に達すると発振動作を停止し、前記上限値に達すると発振動作を再開する発振回路とを備え、該発振回路の出力により前記チャージポンプ回路を駆動するようにしたことを特徴とする映像回路。
【発明の詳細な説明】
【技術分野】
【０００１】
本発明は、映像処理回路とチャージポンプ回路を備えた映像回路に係り、特にチャージポンプ回路で発生させた負電圧を映像処理回路の負電源電圧として使用する場合に、その負電圧にノイズが含まれないようにして映像信号品質の悪化を防ぐと共に、消費電力を低減した映像回路に関するものである。
【背景技術】
【０００２】
図４にチャージポンプ回路により発生した負電圧を負電源電圧として映像処理回路に供給する従来の映像回路の構成を示す。映像処理回路１０は、同期信号を含む入力映像信号のシンクチップとペデスタルのレベルをクランプするクランプ回路１１、そのクランプ回路１１から出力する映像信号に対して種々の画像処理（色相調整、コントラスト調整、拡大、縮小、エッジ強調、その他の処理）を加える映像信号処理回路１２、その映像信号処理回路１２の出力信号を映像駆動信号に増幅して例えば７５Ωの負荷に供給する出力駆動回路１３を有する。出力駆動回路１３には、ダイナミックレンジ拡大および出力容量レス化のために、正電源電圧＋Ｖと負電源電圧−Ｖが電源として供給される。Ｃ１は直流カット用のコンデンサ、Ｃ２は負電圧供給用のコンデンサである。なお、クランプ回路１１と映像信号処理回路１２には正電源電圧＋Ｖと接地電圧ＧＮＤが印加される。
【０００３】
５０は１００ＫＨｚ前後の周波数のパルスを発生する発振回路である。２０はチャージポンプ回路であり、発振回路５０から出力する発振信号を入力して、コンデンサＣ２と協働して負電圧−Ｖを発生して、映像処理回路１０の出力駆動回路１３に供給する。
【０００４】
チャージポンプ回路２０は、図６に示すように、充電用コンデンサＣ３、前記したコンデンサＣ２、スイッチＳＷ１〜ＳＷ４からなり、発振回路５０の出力がＨレベルのときはスイッチＳＷ１，ＳＷ２をオフ、スイッチＳＷ３，ＳＷ４をオンにし、ＬレベルのときはスイッチＳＷ１，ＳＷ２をオン、スイッチＳＷ３，ＳＷ４をオフにし、これにより、コンデンサＣ２，Ｃ３には図示の極性の電荷が充電され、負電圧−Ｖが生成される（図５参照）。
【０００５】
一方、発振回路を使用せす、入力映像信号から同期信号を抽出し、その同期信号に基づいて連続パルスを生成し、この連続パルスをチャージポンプ回路に入力して、負電圧を生成し、この負電圧をメインアンプ（図４の出力駆動回路１３に相当）に供給するようにした特許文献１に記載のアンプがある。
【０００６】
前記した図４に示す映像回路および前記特許文献１によれば、出力駆動回路１３やアンプに正電源電圧＋Ｖと負電源電圧−Ｖが印加されるので、ダイナミックレンジの拡大および出力容量レス化を図ることができる。
【特許文献１】特開２００５−１５１４６８号公報
【発明の開示】
【発明が解決しようとする課題】
【０００７】
ところが、図４の映像回路では、発振回路５０で発生する発振信号に基づきチャージポンプ回路２０のスイッチＳＷ１〜ＳＷ４のオン／オフが連続的に行われるので、生成される負電圧−Ｖに対して、入力映像信号の映像期間でもノイズやリップルが重畳し、その影響が出力映像信号にも現れるので、画面上でビートノイズ等を発生させてしまう。
【０００８】
また、特許文献１のアンプにおいても、チャージポンプ回路が連続パルスによって駆動されるので、上記した図４の映像回路と同様に、出力映像信号にそのノイズやリップルが重畳し、画面上でビートノイズ等を発生させてしまう。
【０００９】
さらに、図４の映像回路および特許文献１のアンプは、チャージポンプ回路が常時動作しているので、消費電力が大きいという問題がある。
【００１０】
本発明の目的は、供給する負電圧に極力ノイズやリップルが重畳しないようにして出力映像信号の品質を向上させ、且つ消費電力の削減される映像回路を提供することである。
【課題を解決するための手段】
【００１１】
上記目的を達成するために、請求項１にかかるの発明の映像回路は、映像処理回路に要求される負電圧電源用のコンデンサを備え、該コンデンサにチャージポンプ回路により負電圧が生成されるようにした映像回路において、前記コンデンサに生成された前記負電圧のレベルが下限値に達すると前記チャージポンプ回路による負電圧生成動作を停止させ、前記負電圧のレベルが前記下限値よりも高い上限値に達すると前記チャージポンプ回路による負電圧生成動作を再開させるようにしたことを特徴とする。
請求項２にかかる発明は、請求項１に記載の映像回路において、前記コンデンサの電圧を検出する電圧検出回路と、該電圧検出回路で検出された電圧が前記下限値に達すると前記チャージポンプ回路による前記負電圧生成動作を停止させ、前記上限値に達すると前記チャージポンプ回路による前記負電圧生成動作を再開させる制御回路とを備えることを特徴とする。
請求項３にかかる発明は、請求項１に記載の映像回路において、前記コンデンサの電圧を検出する電圧検出回路と、該電圧検出回路で検出された電圧が前記下限値に達すると発振動作を停止し、前記上限値に達すると発振動作を再開する発振回路とを備え、該発振回路の出力により前記チャージポンプ回路を駆動するようにしたことを特徴とする。
【発明の効果】
【００１２】
本発明によれば、チャージポンプ回路は、出力負電圧が上限値に達しないうちは動作を再開しないので、極力、ノイズやリップルを抑えることができ、また消費電力も小さくて済む。
【発明を実施するための最良の形態】
【００１３】
＜第１の実施例＞
図１は本発明の第１の実施例の映像回路の構成を示すブロック図、図２はその動作波形図である。映像処理回路１０は、図４の構成と同様に、同期信号を含む入力映像信号のシンクチップとペデスタルのレベルをクランプするクランプ回路１１、そのクランプ回路１１から出力する映像信号に対して種々の画像処理（色相調整、コントラスト調整、拡大、縮小、エッジ強調、その他の処理）を加える映像信号処理回路１２、その映像信号処理回路１２の出力信号を映像駆動信号に増幅して例えば７５Ωの負荷に供給する出力駆動回路１３を有する。出力駆動回路１３には、ダイナミックレンジ拡大および出力容量レス化のために、正電源電圧＋Ｖと負電源電圧−Ｖが電源として供給される。Ｃ１は直流カット用のコンデンサ、Ｃ２は負電圧供給用のコンデンサである。なお、クランプ回路１１と映像信号処理回路１２には正電源電圧＋Ｖと接地電圧ＧＮＤが印加される。
【００１４】
チャージポンプ回路２０は、前記した図６に示した回路構成を持ち、スイッチＳＷ１〜ＳＷ４のオン／オフにより、負電圧−ＶをコンデンサＣ２に生成する。
【００１５】
３０は電圧検出回路であり、コンデンサＣ２に充電されている負電圧を入力して、その上限値−Ｖ１と下限値−Ｖ２を検出する。なお、−Ｖ２＜−Ｖ１、−Ｖ１＜０、−Ｖ２＜０である。例えば、＋Ｖ＝５Ｖであれば、−Ｖ＝−５Ｖ、−Ｖ２＝−５Ｖ、−Ｖ１＝−４Ｖである。
【００１６】
４０は制御回路であり、電圧検出回路３０で上限値−Ｖ１が検出されると、チャージポンプ回路２０のスイッチＳＷ１，ＳＷ２をオフし、スイッチＳＷ３，ＳＷ４をオンして、コンデンサＣ３に充電されていた電荷をコンデンサＣ２に供給する。これにより、コンデンサＣ２は負電圧が深くなる方向に一挙に充電される。また、下限値Ｖ２が検出されると、チャージポンプ回路２０のスイッチＳＷ１，ＳＷ２をオンし、スイッチＳＷ３，ＳＷ４をオフして、コンデンサＣ３への電荷供給を行う。これにより、コンデンサＣ２はチャージポンプ回路２０から切り離される。
【００１７】
したがって、負電圧供給用のコンデンサＣ２は、その充電電圧が上限値−Ｖ１になってから下限値−Ｖ２に達する期間のみ充電されるので、連続的に充電が繰り返される従来例と比べて、負電圧−Ｖに現れるリップル等のノイズ成分が小さくなる。また、そのコンデンサＣ２への充電は必要時のみ行われるので、消費電力も低減する。
【００１８】
＜第２の実施例＞
図３は本発明の第２の実施例の映像回路の構成を示すブロック図である。ここでは、制御回路４０により図４に示した発振回路５０の動作／停止を制御する。すなわち、電圧検出回路３０で上限値−Ｖ１が検出されると制御回路４０により発振回路５０を動作させ、下限値−Ｖ２が検出されると発振回路５０を停止させる。この場合、発振回路５０の停止時は、チャージポンプ回路２０のスイッチＳＷ１〜ＳＷ４については、スイッチＳＷ１，ＳＷ２がオンでスイッチＳＷ３，ＳＷ４がオフ、あるいはその逆のいずれの状態であってもよい。
【００１９】
＜その他の実施例＞
なお、上記各実施例では、チャージポンプ回路２０とコンデンサＣ２で発生した負電圧を映像処理回路１０の出力駆動回路１３にのみ供給したが、映像信号処理回路１２が正負両電源方式である場合には、そこにも供給する。また、チャージポンプ回路２０は図６の回路構成のものに限られるものではなく、種々の回路形式のものを適用できる。
【図面の簡単な説明】
【００２０】
【図１】本発明の第１の実施例の映像回路の構成を示すブロック図である。
【図２】図１の映像回路の動作波形図である。
【図３】本発明の第２の実施例の映像回路の構成を示すブロック図である。
【図４】従来の映像回路の構成を示すブロック図である。
【図５】図４の映像回路の動作波形図である。
【図６】チャージポンプ回路の回路図である。
【符号の説明】
【００２１】
１０：映像処理回路、１１：クランプ回路、１２：映像信号処理回路、１３：出力駆動回路
２０：チャージポンプ回路
３０：電圧検出回路
４０：制御回路
５０：発振回路
【図１】
2008283513.tif 000003
【図２】
2008283513.tif 000004
【図３】
2008283513.tif 000005
【図４】
2008283513.tif 000006
【図５】
2008283513.tif 000007
【図６】
2008283513.tif 000008